(57)【要約】【課題】  従来は携帯情報端末から画一的なアクセス先を指定するのみで、携帯情報端末がどの場所からアクセスしたのかという情報を取得していないため、宣伝・広告場所に効果的な場所を知ることができない。【解決手段】  携帯情報端末１０は、バーコード２５を読み取り、宣伝・広告のあるサイト３２へアクセスするための情報を取得し、読取アクセス情報に基づき、自身の位置情報と時間情報とを同時にサイト３２へ送信する。管理装置３３は、アクセスしてくる携帯情報端末１０からの位置情報及び時間情報に基づき、携帯情報端末１０のアクセス場所とアクセス時間を蓄積する。管理装置３３は、蓄積したアクセス場所とアクセス時間を集計して、集計結果からアクセス情報を分析する。これにより、同じエリアでも、場所と時間によるアクセス状況を知ることができ、効果的な宣伝・広告場所と時間を知ることができる。【選択図】            図１
2006099540.tif 000002
【特許請求の範囲】
【請求項１】
管理対象のサイトと、
前記管理対象のサイトのアクセス情報が予め記憶されている記憶媒体と、
少なくとも自端末の位置情報を取得する位置情報取得機能と、前記記憶媒体の読取機能とを備え、前記記憶媒体に記憶されているアクセス情報を読み取って、前記管理対象のサイトをアクセスする際に、取得した前記自端末の位置情報を前記管理対象のサイトへ送信する携帯情報端末と、
前記携帯情報端末による前記管理対象のサイトへのアクセスに基づいて、前記携帯情報端末と前記管理対象のサイトとを接続する接続手段と、
前記管理対象のサイトへの前記携帯情報端末から送信された位置情報及び当該サイトへのアクセス回数を集計して分析する管理装置と
を有することを特徴とするアクセス管理システム。
【請求項２】
前記携帯情報端末は、前記管理対象のサイトをアクセスする際に、そのアクセス時の時間情報を送信する時間情報送信手段を有することを特徴とする請求項１記載のアクセス管理システム。
【請求項３】
管理対象のサイトと、
前記管理対象のサイトのアクセス情報と自己の位置情報とが予め記憶されている記憶媒体と、
少なくとも前記記憶媒体の読取機能を備え、前記記憶媒体に記憶されているアクセス情報を読み取って、前記管理対象のサイトをアクセスする際に、前記記憶媒体から読み取った前記位置情報を前記管理対象のサイトへ送信する携帯情報端末と、
前記携帯情報端末による前記管理対象のサイトへのアクセスに基づいて、前記携帯情報端末と前記管理対象のサイトとを接続する接続手段と、
前記管理対象のサイトへの前記携帯情報端末から送信された位置情報及び当該サイトへのアクセス回数を集計して分析する管理装置と
を有することを特徴とするアクセス管理システム。
【請求項４】
前記携帯情報端末は、前記管理対象のサイトをアクセスする際に、そのアクセス時の時間情報と、アクセス時の自端末の位置情報とのうちの少なくともいずれか一方を、前記記憶媒体から読み取った前記位置情報と共に送信する情報送信手段を有することを特徴とする請求項３記載のアクセス管理システム。
【請求項５】
管理対象のサイトのアクセス情報が予め記憶されている記憶媒体から、携帯情報端末が前記アクセス情報を読み取って、ネットワークを介して前記管理対象のサイトへアクセスしたときに、そのアクセス回数及び前記携帯情報端末の位置情報を蓄積して集計し管理するアクセス管理方法であって、
前記携帯情報端末が自端末の位置情報を逐次取得する第１のステップと、
前記記憶媒体から、前記携帯情報端末が前記アクセス情報を読み取る第２のステップと、
前記携帯情報端末が、前記第１のステップで取得した自端末の位置情報を、前記記憶媒体から読み取った前記管理対象のサイトへ前記ネットワークを介して送信して前記管理対象のサイトにアクセスする第３のステップと、
前記管理対象のサイトへの前記携帯情報端末から送信された位置情報及び当該サイトへのアクセス回数を集計して、前記位置情報に応じた管理を行う第４のステップと
を含むことを特徴とするアクセス管理方法。
【請求項６】
前記第３のステップは、前記管理対象のサイトのアクセス時の時間情報も含めて送信することを特徴とする請求項５記載のアクセス管理方法。
【請求項７】
管理対象のサイトのアクセス情報と、自己の位置情報とが予め記憶されている記憶媒体から、携帯情報端末が前記アクセス情報及び位置情報を読み取って、ネットワークを介して前記管理対象のサイトへアクセスしたときに、そのアクセス回数及び前記記憶媒体の位置情報を蓄積して集計し管理するアクセス管理方法であって、
前記携帯情報端末が、前記記憶媒体から前記アクセス情報及び位置情報を読み取る第１のステップと、
前記携帯情報端末が前記記憶媒体から読み取った前記アクセス情報が示す前記管理対象のサイトへ、該記憶媒体から読み取った前記位置情報を含めて前記ネットワークを介して送信して前記管理対象のサイトにアクセスする第２のステップと、
前記管理対象のサイトへの前記携帯情報端末から送信された位置情報及び当該サイトへのアクセス回数を集計して、前記位置情報に応じた管理を行う第３のステップと
を含むことを特徴とするアクセス管理方法。
【請求項８】
前記第２のステップは、前記携帯情報端末が、前記管理対象のサイトのアクセス時の時間情報と、アクセス時の自端末の位置情報とのうちの少なくともいずれか一方を、前記記憶媒体から読み取った前記位置情報と共に送信することを特徴とする請求項７記載のアクセス管理方法。
【請求項９】
管理対象のサイトのアクセス情報が予め記憶されている記憶媒体から、前記アクセス情報を読み取って、ネットワークを介して前記管理対象のサイトへアクセスすることにより、そのアクセス回数をサーバ装置が蓄積して集計し管理するアクセス管理方法に用いる携帯情報端末であって、
前記管理対象のサイトのアクセス情報が予め記憶されている前記記憶媒体から前記アクセス情報を読み取る読取手段と、
自端末の位置情報を取得する位置情報取得手段と、
前記記憶媒体から前記読取手段により読み取った前記アクセス情報が示す前記管理対象のサイトへ、前記位置情報取得手段により取得した前記位置情報を含めて前記ネットワークを介して送信して前記管理対象のサイトにアクセスするアクセス手段と
を有することを特徴とする携帯情報端末。
【請求項１０】
前記管理対象のサイトをアクセスする際に、そのアクセス時の時間情報を送信する時間情報送信手段を更に有することを特徴とする請求項９記載の携帯情報端末。
【請求項１１】
管理対象のサイトのアクセス情報と自己の位置情報とが予め記憶されている記憶媒体から、前記アクセス情報を読み取って、ネットワークを介して前記管理対象のサイトへアクセスすることにより、そのアクセス回数及び前記位置情報をサーバ装置が蓄積して集計し管理するアクセス管理方法に用いる携帯情報端末であって、
前記記憶媒体から前記アクセス情報及び位置情報を読み取る読取手段と、
前記読取手段により前記記憶媒体から読み取った前記アクセス情報が示す前記管理対象のサイトへ、該読取手段により該記憶媒体から読み取った前記位置情報を含めて前記ネットワークを介して送信して前記管理対象のサイトにアクセスするアクセス手段と
を有することを特徴とする携帯情報端末。
【請求項１２】
前記アクセス手段は、前記携帯情報端末が、前記管理対象のサイトのアクセス時の時間情報と、アクセス時の自端末の位置情報とのうちの少なくともいずれか一方を、前記記憶媒体から読み取った前記位置情報と共に送信することを特徴とする請求項１１記載の携帯情報端末。
【発明の詳細な説明】
【技術分野】
【０００１】
本発明はアクセス管理システム、アクセス管理方法及び携帯情報端末に係り、特に宣伝・広告のあるサイトへアクセスするためのバーコード、バーコードを読み込み、指定したサイトヘアクセスすることのできる携帯情報端末、ネットワークシステムに接続された宣伝・広告情報のあるサイト、その宣伝・広告情報サイトへのアクセスを管理する管理装置から構成されるアクセス管理システム、アクセス管理方法及びそれに用いる携帯情報端末に関する。
【背景技術】
【０００２】
従来より、宣伝・広告のあるサイトへアクセスするためのバーコード、バーコードを読み込み、指定したサイトヘアクセスすることのできる携帯情報端末、ネットワークシステムに接続された宣伝・広告情報のあるサイト、その宣伝・広告情報サイトへのアクセスを管理する管理装置から構成されるアクセス管理システムが知られている（例えば、特許文献１、２、３参照）。
【０００３】
特許文献１記載の従来のアクセス管理システムは、携帯情報端末からサーバ装置に送られた情報に基づいて、任意の商品について広告した複数の広告媒体に関するマーケティング調査を行うシステムであり、携帯情報端末から送信された広告媒体や商品に関する情報を受信する受信手段と、その受信手段で受信した広告媒体に基づいて広告媒体を特定する広告特定手段と、その特定した広告媒体が携帯情報端末によって参照されたことを示す情報や、受信した商品の識別情報及びそれを送信した携帯情報端末の識別情報とを対応付けて蓄積する収集情報蓄積手段と、蓄積された情報に基づいて、各広告媒体の広告効果や店舗内での各回の買い物で顧客が一緒に参照対象としている商品を分析する分析手段とを備えた構成である。また、上記の分析手段は、商品の識別情報と陳列位置に関する情報とに基づいて、顧客が参照した商品と陳列位置との関係を分析することも可能である。
【０００４】
また、特許文献２記載の従来のアクセス管理システムは、携帯情報端末に対して情報提供サイトからの情報と共に広告情報を提供するシステムであって、情報提供サイトからの情報提供の時点で、携帯情報端末の位置情報及び時刻情報を取得する手段と、取得した位置情報及び時刻情報をログとして記録する記録手段と、地域及び時間帯毎にログを集計して、地域及び時間帯で識別される広告枠での情報提供回数の実績をアクセス頻度情報として生成する集計手段と、前記アクセス頻度情報に基づいて、広告枠毎の広告提供代行料金を決定する手段と、各広告枠毎の広告提供の代行要求に従って、広告情報を提供し、決定した料金を決済する手段とを含む構成である。
【０００５】
更に、特許文献３記載の従来のアクセス管理システムは、商品の表面に印刷されるバーコードなどの商品コードを読み取って商品コードを含む商品情報検索要求を生成し、商品情報配信サーバに接続して送信する通信端末と、商品情報検索要求に対して商品情報を検索・配信する商品情報配信サーバを備え、バーコード読み取り装置などに備えた識別情報を商品検索要求に含めることにより、商品を展示・陳列する店舗に読み取り装置などを配備し、商品検索要求と店舗との相関を集計できるようにした構成である。
【０００６】
【特許文献１】特開２００１−３３１６２８号公報
【特許文献２】特開２００２−２３０４２４号公報
【特許文献３】特開２００２−２４５１４１号公報
【発明の開示】
【発明が解決しようとする課題】
【０００７】
しかるに、上記の特許文献１及び３記載の従来のアクセス管理システムは、携帯情報端末から画一的なアクセス先を指定するのみで、携帯情報端末がどの場所からアクセスしたのかという情報を取得していないため、宣伝・広告場所に効果的な場所を知ることができない。
【０００８】
また、上記の特許文献２記載の従来のアクセス管理システムでは、携帯情報端末の位置情報及び時刻情報を取得し、取得した位置情報及び時刻情報をログとして記録して集計し、それに基づいて地域及び時間帯で識別される広告枠での情報提供回数の実績をアクセス頻度情報として生成し、広告枠毎の広告提供代行料金を決定するようにしているため、携帯情報端末の位置情報を取得しているが、それはアクセス頻度情報を生成するために用いられ、アクセス頻度に応じた広告提供代行料金を決定するためのものであり、宣伝・広告場所に効果的な場所を知ることができない。
【０００９】
本発明は以上の点に鑑みなされたもので、携帯情報端末（携帯電話機、ＰＨＳ、ＰＤＡ等を含む無線通信機能を有する携帯端末）から携帯情報端末自身の位置情報をも含めて広告・宣伝情報のあるサイトへアクセスしたことを集計することにより、有効な宣伝・広告効果、更にはアクセス回数を位置情報を含めて測定することができるアクセス管理システム、アクセス管理方法及び携帯情報端末を提供することを目的とする。
【００１０】
また、本発明の他の目的は、管理対象のサイトのアクセス情報及び位置情報を有するバーコード等の媒体を用いて携帯情報端末が、当該管理対象のサイトへアクセスした回数を時間情報を含めて管理することができるアクセス管理システム、アクセス管理方法及び携帯情報端末を提供することにある。
【課題を解決するための手段】
【００１１】
上記の目的を達成するため、第１の発明のアクセス管理システムは、管理対象のサイトと、管理対象のサイトのアクセス情報が予め記憶されている記憶媒体と、少なくとも自端末の位置情報を取得する位置情報取得機能と、記憶媒体の読取機能とを備え、記憶媒体に記憶されているアクセス情報を読み取って、管理対象のサイトをアクセスする際に、取得した自端末の位置情報を管理対象のサイトへ送信する携帯情報端末と、携帯情報端末による管理対象のサイトへのアクセスに基づいて、携帯情報端末と管理対象のサイトとを接続する接続手段と、管理対象のサイトへの携帯情報端末から送信された位置情報及び当サイトへのアクセス回数を集計して分析する管理装置とを有することを特徴とする。
【００１２】
この発明では、携帯情報端末が管理対象のサイトへ携帯情報端末自身の位置情報と共にアクセスするようにしているため、管理装置が携帯情報端末の位置情報を含めて管理対象のアクセス回数を管理することができる。
【００１３】
また、上記の目的を達成するため、第２の発明のアクセス管理システムは、携帯情報端末が、管理対象のサイトをアクセスする際に、そのアクセス時の時間情報を送信する時間情報送信手段を有することを特徴とする。この発明では、携帯情報端末が管理対象のサイトへ携帯情報端末自身の位置情報とアクセス時の時間情報と共にアクセスするようにしているため、管理装置が携帯情報端末の位置情報だけでなく時間情報をも含めて管理対象のアクセス回数を管理することができ、アクセスされた時間から、ある場所でのアクセスは、どの時間帯からが多いかという情報を得ることができる。
【００１４】
よって、本発明では、アクセス時の携帯情報端末の位置情報とアクセス時間を同時に取得することで、場所と時間の相関を含むサイトアクセス状況を把握することができ、管理対象のサイトが宣伝・広告情報のあるサイトである場合は、効果的な宣伝・広告のための情報を得ることができ、宣伝・広告情報に関係ないサイトであっても、そのサイトへのアクセス状況を管理することができる。
【００１５】
また、上記の目的を達成するため、第３の発明のアクセス管理システムは、管理対象のサイトと、管理対象のサイトのアクセス情報と自己の位置情報とが予め記憶されている記憶媒体と、少なくとも記憶媒体の読取機能を備え、記憶媒体に記憶されているアクセス情報を読み取って、管理対象のサイトをアクセスする際に、記憶媒体から読み取った位置情報を管理対象のサイトへ送信する携帯情報端末と、携帯情報端末による管理対象のサイトへのアクセスに基づいて、携帯情報端末と管理対象のサイトとを接続する接続手段と、管理対象のサイトへの携帯情報端末から送信された位置情報及び当サイトへのアクセス回数を集計して分析する管理装置とを有することを特徴とする。
【００１６】
この発明では、携帯情報端末が管理対象のサイトへ記憶媒体の位置情報と共にアクセスするようにしているため、管理装置が記憶媒体の位置情報を含めて管理対象のアクセス回数を管理することができ、どの場所で配布した、あるいはどの場所に固定されている記憶媒体を用いた携帯情報端末からのアクセスであるかを管理することができる。
【００１７】
また、上記の目的を達成するため、第４の発明のアクセス管理システムは、携帯情報端末が、管理対象のサイトをアクセスする際に、そのアクセス時の時間情報と、アクセス時の自端末の位置情報とのうちの少なくともいずれか一方を、記憶媒体から読み取った位置情報と共に送信する情報送信手段を有することを特徴とする。
【００１８】
この発明では、携帯情報端末が管理対象のサイトへ記憶媒体の位置情報に加えて、アクセス時の時間情報及びアクセス時の携帯情報端末の位置情報のどちらか一方又は両方と共にアクセスするようにしているため、管理装置が記憶媒体の位置情報を含めて管理対象のアクセス回数を管理することができ、どの場所で配布した記憶媒体を用いた携帯情報端末からのどの時間帯の、あるいはどの場所からの携帯情報端末からのアクセスであるかを管理することができ、管理対象のサイトへアクセスする者の行動範囲を把握することもできる。
【００１９】
また、上記の目的を達成するため、第５の発明のアクセス管理方法は、管理対象のサイトのアクセス情報が予め記憶されている記憶媒体から、携帯情報端末がアクセス情報を読み取って、ネットワークを介して管理対象のサイトへアクセスしたときに、そのアクセス回数及び携帯情報端末の位置情報を蓄積して集計し管理するアクセス管理方法であって、携帯情報端末が自端末の位置情報を逐次取得する第１のステップと、記憶媒体から、携帯情報端末がアクセス情報を読み取る第２のステップと、携帯情報端末が、第１のステップで取得した自端末の位置情報を、記憶媒体から読み取った管理対象のサイトへネットワークを介して送信して管理対象のサイトにアクセスする第３のステップと、管理対象のサイトへの携帯情報端末から送信された位置情報及び当サイトへのアクセス回数を集計して、位置情報に応じた管理を行う第４のステップとを含むことを特徴とする。
【００２０】
この発明では、携帯情報端末が管理対象のサイトへ携帯情報端末自身の位置情報と共にアクセスするようにしているため、管理装置が携帯情報端末の位置情報を含めて管理対象のアクセス回数を管理することができる。
【００２１】
また、上記の目的を達成するため、第６の発明のアクセス管理方法は、上記の第５の発明における第３のステップは、管理対象のサイトのアクセス時の時間情報も含めて送信することを特徴とする。この発明では、携帯情報端末が管理対象のサイトへ携帯情報端末自身の位置情報とアクセス時の時間情報と共にアクセスするようにしているため、管理装置が携帯情報端末の位置情報だけでなく時間情報をも含めて管理対象のアクセス回数を管理することができ、アクセスされた時間から、ある場所でのアクセスは、どの時間帯からが多いかという情報を得ることができる。
【００２２】
よって、本発明では、アクセス時の携帯情報端末の位置情報とアクセス時間を同時に取得することで、場所と時間の相関を含むサイトアクセス状況を把握することができ、管理対象のサイトが宣伝・広告情報のあるサイトである場合は、効果的な宣伝・広告のための情報を得ることができ、宣伝・広告情報に関係ないサイトであっても、そのサイトへのアクセス状況を管理することができる。
【００２３】
また、上記の目的を達成するため、第７の発明のアクセス管理方法は、管理対象のサイトのアクセス情報と、自己の位置情報とが予め記憶されている記憶媒体から、携帯情報端末がアクセス情報及び位置情報を読み取って、ネットワークを介して管理対象のサイトへアクセスしたときに、そのアクセス回数及び記憶媒体の位置情報を蓄積して集計し管理するアクセス管理方法であって、携帯情報端末が、記憶媒体からアクセス情報及び位置情報を読み取る第１のステップと、携帯情報端末が記憶媒体から読み取ったアクセス情報が示す管理対象のサイトへ、記憶媒体から読み取った位置情報を含めてネットワークを介して送信して管理対象のサイトにアクセスする第２のステップと、管理対象のサイトへの携帯情報端末から送信された位置情報及び当サイトへのアクセス回数を集計して、位置情報に応じた管理を行う第３のステップとを含むことを特徴とする。
【００２４】
この発明では、携帯情報端末が管理対象のサイトへ記憶媒体の位置情報と共にアクセスするようにしているため、管理装置が記憶媒体の位置情報を含めて管理対象のアクセス回数を管理することができ、どの場所で配布した、あるいはどの場所に固定されている記憶媒体を用いた携帯情報端末からのアクセスであるかを管理することができる。
【００２５】
また、上記の目的を達成するため、第８の発明のアクセス管理方法は、第７発明における第２のステップは、携帯情報端末が、管理対象のサイトのアクセス時の時間情報と、アクセス時の自端末の位置情報とのうちの少なくともいずれか一方を、記憶媒体から読み取った位置情報と共に送信することを特徴とする。
【００２６】
この発明では、携帯情報端末が管理対象のサイトへ記憶媒体の位置情報に加えて、アクセス時の時間情報及びアクセス時の携帯情報端末の位置情報のどちらか一方又は両方と共にアクセスするようにしているため、管理装置が記憶媒体の位置情報を含めて管理対象のアクセス回数を管理することができ、どの場所で配布した記憶媒体を用いた携帯情報端末からのどの時間帯の、あるいはどの場所からの携帯情報端末からのアクセスであるかを管理することができ、管理対象のサイトへアクセスする者の行動範囲を把握することもできる。
【００２７】
また、上記の目的を達成するため、第９の発明の携帯情報端末は、管理対象のサイトのアクセス情報が予め記憶されている記憶媒体から、アクセス情報を読み取って、ネットワークを介して管理対象のサイトへアクセスすることにより、そのアクセス回数をサーバ装置が蓄積して集計し管理するアクセス管理方法に用いる携帯情報端末であって、管理対象のサイトのアクセス情報が予め記憶されている記憶媒体からアクセス情報を読み取る読取手段と、自端末の位置情報を取得する位置情報取得手段と、記憶媒体から読取手段により読み取ったアクセス情報が示す管理対象のサイトへ、位置情報取得手段により取得した位置情報を含めてネットワークを介して送信して管理対象のサイトにアクセスするアクセス手段とを有することを特徴とする。
【００２８】
また、上記の目的を達成するため、第１０の発明の携帯情報端末は、管理対象のサイトをアクセスする際に、そのアクセス時の時間情報を送信する時間情報送信手段を更に有することを特徴とする。
【００２９】
また、上記の目的を達成するため、第１１の発明の携帯情報端末は、管理対象のサイトのアクセス情報と自己の位置情報とが予め記憶されている記憶媒体から、アクセス情報を読み取って、ネットワークを介して管理対象のサイトへアクセスすることにより、そのアクセス回数及び位置情報をサーバ装置が蓄積して集計し管理するアクセス管理方法に用いる携帯情報端末であって、記憶媒体からアクセス情報及び位置情報を読み取る読取手段と、読取手段により記憶媒体から読み取ったアクセス情報が示す管理対象のサイトへ、読取手段により記憶媒体から読み取った位置情報を含めてネットワークを介して送信して管理対象のサイトにアクセスするアクセス手段とを有することを特徴とする。
【００３０】
また、上記の目的を達成するため、第１２の発明の携帯情報端末は、アクセス手段を、携帯情報端末が、管理対象のサイトのアクセス時の時間情報と、アクセス時の自端末の位置情報とのうちの少なくともいずれか一方を、記憶媒体から読み取った位置情報と共に送信する構成としたことを特徴とする。
【発明の効果】
【００３１】
本発明によれば、携帯情報端末が管理対象のサイトへ携帯情報端末自身の位置情報と共にアクセスすることにより、管理装置が携帯情報端末の位置情報を含めて管理対象のアクセス回数を管理するようにしたため、管理対象のサイトにアクセスした時の携帯情報端末の位置を把握することができ、特に管理対象のサイトが、宣伝・広告の情報のあるサイトであるときには、把握した位置情報から、どの場所からのアクセスが一番多いかを把握し、その場所が効果的な宣伝・広告の場所であるということを知ることができ、また、管理対象のサイトが、宣伝・広告とは関係ないサイトの場合は、把握した位置情報から、アクセスする者が多い場所や少ない場所を分析・管理することができる。
【発明を実施するための最良の形態】
【００３２】
次に、本発明を実施するための最良の形態について図面を参照して詳細に説明する。図１は本発明になるアクセス管理システムの第１の実施の形態のシステム構成図を示す。この実施の形態は、バーコード２５を読み取る機能を備えた携帯情報端末１０と、携帯情報端末１０との間で無線通信する基地局２７と、基地局２７を介して携帯情報端末１０が指定したサイトへアクセスするためのインターネットに代表されるネットワークシステム３１と、ネットワークシステム３１に接続される宣伝・広告情報のあるサイト３２と、宣伝・広告情報のあるサイト３２へのアクセスを管理するサーバ装置である管理装置３３とから構成される。
【００３３】
携帯情報端末１０は、本発明になる携帯情報端末の一実施の形態で、例えば携帯電話機であり、通常の電話通信機能及びメール送受信機能を有し、それに加えてバーコード読み込み機能を有し、また位置情報取得機能を有しており、例えば図２のブロック図に示す如き構成とされている。図２において、携帯情報端末１０は、各種のテンキーからなり電話番号、メール文、各種メニュー選択などの各種の情報入力を行うための入力部１１と、バーコード２５を読み取るためのバーコード読取部１２と、全地球測位システム（ＧＰＳ：Global Positioning System）を構成する複数の人工衛星（所謂ＧＰＳ衛星）からの電波を受信し、公知の方法で携帯情報端末１０自身の位置情報を取得するＧＰＳ測位部１３と、本発明所定の動作を行うためのプログラムを格納しており、また電話帳データその他必要なデータを格納している記憶部１４と、最寄りの基地局（図示せず）との間でアンテナ１５を介して無線通信する無線部１６と、送信信号処理又は受信信号処理を行う信号処理部１７と、受信した信号から受話音声信号を得てスピーカ１９に供給して発音させ、マイク２０により音響−電気変換して得られた送話音声信号は、所定の処理を行って信号処理部１７へ出力する音声処理部１８と、各種の文字、図形などを表示する液晶表示素子などから構成されている表示部２１と、表示部２１を駆動する表示駆動部２２と、携帯電話機の各部を統括的に制御する制御部２３とから構成されている。バーコード読取部１２は、カメラのような撮像手段あるいはレーザ光などでバーコードを走査して読取を行う。
【００３４】
再び図１に戻って説明するに、バーコード２５には、宣伝・広告のあるサイト３２へアクセスするための情報が記録されている。換言すると、バーコード２５は、スタートコードとストップコードの間に設けられる広いバー（又はスペース）と細いバー（又はスペース）との組み合わせで宣伝・広告のあるサイト３２へアクセスするための情報が表わされている。サイト３２は携帯情報端末１０からのアクセス時に、必要な宣伝・広告情報を携帯情報端末１０に提供するが、この時、携帯情報端末１０から送信される位置情報とアクセスした時間を取得し、蓄積する機能を有する。なお、バーコード２５は携帯情報端末１０と共に、あるいは別途移動可能である。
【００３５】
次に、本発明の第１の実施の形態の動作について、図１、図２及び図３のフローチャートを併せ参照して詳細に説明する。まず、携帯情報端末１０は、バーコード２５を携帯情報端末１０のバーコード読取部１２で読み取り、宣伝・広告のあるサイト３２へアクセスするための情報（ＵＲＬアドレスなど）を取得し（図３のステップＳ１）、その読取アクセス情報に基づき、携帯情報端末１０は自身の位置情報と時間情報とを同時にサイト３２へ送信する（図３のステップＳ２）。
【００３６】
すなわち、携帯情報端末１０は、そのＧＰＳ測位部１３にて公知のＧＰＳ衛星からのＧＰＳ信号を逐次受信して自端末の位置情報を取得すると共に、制御部２３は内部の時計にて時間情報を取得しており、バーコード読取部１２によりバーコード２５を読み取ることにより得られたサイト３２のアドレス等のアクセス情報に基づき、無線部１６からアンテナ１５を介して最寄りの基地局２７へ無線送信し、更にこれよりインターネット等のネットワークシステム３１上にあるサイト３２へアクセスする際に、これら取得した位置情報及び送信時点の時間情報をサイト３２へ送信する。
【００３７】
このサイト３２へのアクセス時に、サイト３２を管理している管理装置３３は、アクセスしてくる携帯情報端末１０からの位置情報及び時間情報に基づき、携帯情報端末１０のアクセス場所とアクセス時間を蓄積する（図３のステップＳ３）。他の携帯情報端末からサイト３２へのアクセス時にも同様にして、管理装置３３は、サイト３２へアクセスしてくる他の携帯情報端末からの位置情報及び時間情報に基づき、携帯情報端末１０のアクセス場所とアクセス時間を蓄積する。
【００３８】
所定単位時間毎に、あるいは任意の時間で管理装置３３は、それまでに蓄積したアクセス場所とアクセス時間を集計して、その集計結果からアクセス情報を分析する（図３のステップＳ４）。これにより、同じエリアでも、場所と時間によるアクセス状況を知ることができ、このことにより効果的な宣伝・広告場所と時間を知ることができる。すなわち、本実施の形態では、場所と時間の相関を含むサイトアクセス状況を把握することができ、管理対象のサイトが宣伝・広告情報のあるサイトである場合は、効果的な宣伝・広告のための情報を得ることができ、宣伝・広告情報に関係ないサイトであっても、そのサイトへのアクセス状況を管理することができる。
【００３９】
次に、本発明の第２の実施の形態の構成について図面を参照して詳細に説明する。図４は本発明になるアクセス管理システムの第２の実施の形態のシステム構成図を示す。同図中、図１と同一構成部分には同一符号を付し、その説明を省略する。図４において、バーコード３５は宣伝・広告の情報のあるサイト３２へアクセスするための情報と、バーコード３５自体が置かれている場所の位置情報とが記録されている。すなわち、バーコード３５は、それが置かれている場所が既知の場所であり（例えば、駅、百貨店、サイト３２に関連する店舗など）、バーコード３５はサイト３２へのアクセス情報と共にそれが置かれている場所の位置情報とが予め記録されている。なお、バーコード３５自体は、その場所に固定で設けられていてもよいし、配布可能で、その場所から持ち運び可能とされていてもよい。
【００４０】
一方、携帯情報端末４０は、バーコード３５の読取部を有する点は図１に示した携帯情報端末１０と同様であるが、携帯情報端末１０とは異なり、ＧＰＳ測位部１３のような位置情報を取得する機能は有していない（有していてもよいが必須ではない。）。バーコード３５が位置情報を有しているからである。
【００４１】
次に、本実施の形態の動作について図５のフローチャーチを併せ参照して説明する。まず、携帯情報端末４０は、バーコード３５を携帯情報端末４０のバーコード読取部で読み取り（図５のステップＳ１１）、宣伝・広告のあるサイト３２へアクセスするための情報とバーコード３５の位置情報を取得し、その読取アクセス情報に基づき、携帯情報端末４０は時間情報を付加してサイト３２へ送信する（図５のステップＳ１２）。
【００４２】
すなわち、携帯情報端末４０は、内部の時計にて時間情報を取得しており、バーコード読取部によりバーコード３５を読み取ることにより得られたサイト３２のアドレス等のアクセス情報に基づき、無線部からアンテナを介して最寄りの基地局２７へ無線送信し、更にこれよりインターネット等のネットワークシステム３１上にあるサイト３２へアクセスする際に、これら取得した位置情報及び送信時点の時間情報をサイト３２へ送信する。
【００４３】
このサイト３２へのアクセス時に、サイト３２を管理している管理装置３３は、アクセスしてくる携帯情報端末４０からの位置情報及び時間情報に基づき、携帯情報端末４０が読み取ったバーコード３５の位置情報と時間情報を蓄積する（図５のステップＳ１３）。他の携帯情報端末からサイト３２へのアクセス時にも同様にして、管理装置３３は、サイト３２へアクセスしてくる他の携帯情報端末が読み取ったバーコードの位置情報及び時間情報を蓄積する。
【００４４】
そして、所定単位時間毎に、あるいは任意の時間で管理装置３３は、それまでに蓄積した位置情報と時間情報を集計して、その集計結果からアクセス情報を分析する（図５のステップＳ１４）。この実施の形態によれば、バーコード３５に位置情報を持たせ、そのバーコード３５を読み込む携帯情報端末４０から時間情報と共に管理装置３３へ送信することで、どの場所で配布されたバーコード３５がいつ携帯情報端末４０によりアクセスされたかを把握することができる。これにより、場所と時間によるサイト３２のアクセス状況を知ることができ、効果的な宣伝・広告場所と時間を知ることができる。
【００４５】
なお、本発明は以上の実施の形態に限定されるものではなく、例えば、バーコード３５を読み取る携帯情報端末にも位置情報を取得して送信する機能を備えるようにし、サイト３２へのアクセス時に、バーコード３５からの位置情報と携帯情報端末の位置情報の両方を管理装置３３へ送信するようにしてもよい。
【００４６】
この場合は、どの場所で配布されたバーコード３５がどの場所で、どの時間帯で携帯情報端末によりアクセスされたかを把握することができるため、宣伝・広告媒体の移動状況を把握することができ、ある地区の利用者がどの場所のバーコード３５を読み込んでいるか、あるエリアに宣伝・広告を行いたい場合には、どの場所にバーコード３５を配布するのが良いか、を把握することができ、効果的な宣伝・広告を行うことができる。また、どの場所で配布したバーコード３５がどこからアクセスされているかを知ることができ、サイト３２のアクセス者の行動範囲を把握することもできる。
【００４７】
また、携帯情報端末の位置情報取得方法は、ＧＰＳ衛星を利用する方法以外に、例えば、携帯情報端末が無線通信する基地局の位置情報に基づく方法、あるいは複数の基地局からの電波の強さと基地局からの位置情報とから算出する方法などでもよい。また、以上の実施の形態では、携帯情報端末１０、４０がアクセスしようとするサイト３２は、宣伝・広告の情報があるサイト（あるいは、ホームページ）であり、その広告・宣伝効果の測定に適用するものとして説明したが、本発明はこれに限定されるものではなく、アクセスするサイトは宣伝・広告の情報はなくてもよく、ホームページのアクセスランキングなどの情報を収集するようにしてもよく、要は管理対象のサイト（あるいは、ホームページ）へのアクセス回数やアクセス時間帯などを分析し、管理するシステム全般に本発明は適用できるものである。
【００４８】
また、上記の説明では、バーコード２５、３５からサイトのアクセス情報を読み込むように説明したが、サイトのアクセス情報や位置情報は、バーコード以外の例えばＩＣチップ、ＩＣタグその他の記憶媒体に書き込まれており、それを読み出すようにしてもよい。更にまた、時間情報は必ずしも送信しなくてもよい。
【図面の簡単な説明】
【００４９】
【図１】本発明のアクセス管理システムの第１の実施の形態のシステム構成図である。
【図２】図１中の携帯情報端末の一実施の形態のブロック図である。
【図３】本発明のアクセス管理方法の第１の実施の形態のフローチャートである。
【図４】本発明のアクセス管理システムの第２の実施の形態のシステム構成図である。
【図５】本発明のアクセス管理方法の第２の実施の形態のフローチャートである。
【符号の説明】
【００５０】
１０、４０  携帯情報端末
１１  入力部
１２  バーコード読取部
１３  ＧＰＳ測位部
１４  記憶部
２１  表示部
２３  制御部
２５、３５  バーコード
２７  基地局
３１  ネットワークシステム
３２  サイト
３３  管理装置
【図１】
2006099540.tif 000003
【図２】
2006099540.tif 000004
【図３】
2006099540.tif 000005
【図４】
2006099540.tif 000006
【図５】
2006099540.tif 000007